(57)【特許請求の範囲】
【請求項１】
角形状の中央部を角形輪状の外周部で囲んで平板状に形成された植栽容器用シートを折り曲げにより角形パン状に形成した植栽容器であって、
底面側より上方に向かう平面視Ｌ字状のスリットが形成されたＬ字状のクリップを備えており、
前記中央部は硬質板よりなり、
前記中央部と前記外周部との間の折目部および前記外周部の側辺部、隅部のすべてよりなる折目部は軟質材で形成されており、
前記外周部は、前記中央部と前記外周部との間の折目部に沿って折り曲げ起立され、前記隅部における折目部に沿って折りたたまれ、折りたたまれて起立した隅部が前記クリップの前記スリットに差し込まれるようにして前記クリップで保形されたことを特徴とする植栽容器。
【発明の詳細な説明】
【技術分野】
【０００１】
本発明は、植栽容器用シートにより形成された植栽容器に関する。
【背景技術】
【０００２】
屋上緑化システムや研究機関の植物工場などでは、たとえば発泡スチロールなどで製した角形（矩形）パン状の植栽容器が用いられている（たとえば、特許文献１、２参照）。角形（矩形）パン状に形成されているため、植栽容器に植栽した後の運搬がたやすくできる。そのため、追加設置や設置場所の変更が簡単にできる。屋上緑化システムなど広い面積で利用する場合には、特に利便性が高い。
【先行技術文献】
【特許文献】
【０００３】
【特許文献１】特開２００２−１７６８５０号公報  図１
【特許文献２】特開２０１２−４４９８３号公報  図１
【発明の概要】
【発明が解決しようとする課題】
【０００４】
しかしながら、たとえば工場出荷後の搬送において未使用の植栽容器を運搬する場合や、多数の未使用の植栽容器を保管する場合、容器の形状からして、かさばらないように積み重ねることはできない。このように、この種の植栽容器は、未使用のものを大量に運搬、保管するのには不便であった。
【０００５】
なお、特許文献２には、シート状のものを組み立てて使用できるようにした植栽容器が開示されているが、製造コストがかかるし、組立てが面倒でもあり、問題点がある。また、側壁部間の角部には隙間ができるおそれがあり、水耕栽培には不向きでもある。
【０００６】
本発明は、このような事情を考慮して提案されたもので、その目的は、大量の植栽容器をシートの状態で効率的に運搬、保管できる植栽容器用シートにより組み立てられた植栽容器を提供することにある。
【課題を解決するための手段】
【０００７】
上記目的を達成するために、請求項１に記載の植栽容器は、角形状の中央部を角形輪状の外周部で囲んで平板状に形成された植栽容器用シートを折り曲げにより角形パン状に形成した植栽容器であって、底面側より上方に向かう平面視Ｌ字状のスリットが形成されたＬ字状のクリップを備えており、中央部は硬質板よりなり、中央部と外周部との間の折目部および外周部の側辺部、隅部のすべてよりなる折目部は軟質材で形成されており、外周部は、中央部と外周部との間の折目部に沿って折り曲げ起立され、隅部における折目部に沿って折りたたまれ、折りたたまれて起立した隅部がクリップのスリットに差し込まれるようにしてクリップで保形されたことを特徴とする。
【０００８】
（削除）
【０００９】
（削除）
【発明の効果】
【００１０】
本発明の植栽容器によれば、植栽容器用シートの中央部に硬質板が使用されているため、組み立てられた植栽容器の底部が安定する。そのため、植栽容器に植栽した後に台車などで移動する場合でも、内部の土や水がこぼれるおそれがない。
【００１１】
また、植栽容器を形成するための植栽容器用シートは、上述した構成となっているため、取り扱いがしやすく、大量の植栽容器をシートの状態で効率的に運搬、保管することができ、かつ簡単に容器形状に組み立てることができる。
【００１２】
また、屋上緑化システムや研究機関の植物工場などで植栽容器を大量に必要とする場合でも、組立てが簡単にできるため、植栽容器として利用するまでの間はシートの状態で保管しておけばよく、積み重ねてもかさばらないので、保管スペースも小さくて済む。
【００１３】
また、植栽容器用シートは、硬軟同時成形にて形成されるようにすれば、簡易な設備で大量に製造できる。
【図面の簡単な説明】
【００１４】
【図１】本発明の第１の実施形態（参考例）に係る、植栽容器を形成するための植栽容器用シートの平面図である。
【図２】（ａ）は、植栽容器用シートを用いて形成した植栽容器の形成例を示した斜視図である。（ｂ）は植栽容器を保形するためのクリップの他の例を示す斜視図、（ｃ）はさらに他の例を示す展開図である。
【図３】（ａ）、（ｂ）は本発明の第２の実施形態に係る、植栽容器を形成するための植栽容器用シートの平面図である。（ａ）、（ｂ）には植栽容器用シートの異なる使用態様の２例を示した。（ｃ）は本発明の第３の実施形態に係る、植栽容器を形成するための植栽容器用シートの部分拡大平面図である。
【図４】（ａ）は植栽容器の植栽例を示す縦断面図である。（ｂ）は植栽容器の利用例を示す斜視図である。
【発明を実施するための形態】
【００１５】
以下に、本発明の実施形態について、添付図面を参照しながら説明する。
【００１６】
以下に示す種々の実施形態に係る、植栽容器を形成するための植栽容器用シート１０（以下、たんにシート１０という）は、角形状の中央部１１を角形輪状の外周部１２で囲んで全体が矩形の平板状に形成され、折目１６での折り曲げにより、図２（ａ）に示すような角形パン状の植栽容器２０を形成可能とした植栽容器用シート１０である（図１および図３（ａ）〜（ｃ）参照）。
【００１７】
以下の複数の実施形態では、矩形状のシート１０、それによって形成される矩形パン状の植栽容器２０を例示したが、他の角形状のものであってもよい。たとえば、三角形、ひし形、台形などの角形状のものにも適用可能である。
【００１８】
中央部１１は硬質板よりなる。その中央部１１と、その周囲の口の字状の外周部１２との間の折目部１５Ａ、１５および外周部１２のうちの隅部１４における折目部１５Ｂ、１５は軟質材よりなる（以上、図１および図３（ａ）〜（ｃ）参照）。
【００１９】
なお、折目部１５Ａ、１５Ｂ、１５は植栽容器２０を形成する際の折目１６を含むその周辺部位のことをいう。この折目１６はシート１０においては仮想的なものであり、各図では破線で示した。なお、折目１６は、視認できるように目印用に線を引いたものであってもよい。
【００２０】
以下、各実施形態について個別に説明する。
図１は、本発明の第１の実施形態（参考例）に係る、植栽容器を形成するための植栽容器用シートの平面図である。
【００２１】
図１に示したシート１０は、中央部１１と、外周部１２のうちの中央部１１の四方に配された矩形状の側辺部１３、１３、・・・とが硬質板で形成されている。中央部１１の周囲に配された折目１６を含む線状の４辺縁部は折目部１５Ａ、１５Ａ、・・・を構成し、それらの折目部１５Ａ、１５Ａ、・・・は軟質材で形成されている。また、４つの矩形（正方形）状の隅部１４、１４、・・・は、折目１６を含む折目部１５Ｂ、１５Ｂ、・・・を構成し、それぞれの全体が軟質材で形成されている。これらの２種の折目部１５Ａ、１５Ｂは両者相互に連続している。なお、これら２種の折目部１５Ａ、１５Ｂは、それらを区別するために、以下では前者を折目部（辺）１５Ａ、後者を折目部（隅）１５Ｂと記載する。
【００２２】
ようするに、図１に示したシート１０は、クロスハッチングを付した部位が硬質板で形成され、それ以外の部位が軟質材で形成されている。このクロスハッチングを付した部位を除く部位が折目部１５Ａ、１５Ｂを構成する。
【００２３】
硬質板の素材は合成樹脂、金属のいずれであってもよい。軟質材は、折り曲げが可能で、折り曲げても分断されにくい材料であればよく、柔軟な合成樹脂材で製されることが望ましいが、折り曲げ自在な金属薄板であってもよい。また、水耕栽培を目的とした植栽容器用のシート１０であれば、水を通さないものが適しているが、土壌栽培を目的としたものであれば、たとえば繊維状の材料などの水を通すものであってもよい。
【００２４】
このように構成したシート１０によれば、かさばらないため取り扱いがしやすく、大量の植栽容器２０をシートの状態で効率的に運搬、保管することができ、かつ簡単に容器形状に組み立てることができる。屋上緑化システムや研究機関の植物工場などで植栽容器２０を大量に必要とする場合でも、組立てが簡単にできるため、植栽容器２０として利用するまでの間はシートの状態で保管しておけばよく、積み重ねてもかさばらないので、保管スペースも小さくて済む。
【００２５】
このようなシート１０は、硬軟同時成形にて形成される。２種類の材料を同時あるいは順に金型内に流し込む異材質成形法で成形してもよい。また、金型内に金属よりなる硬質板を挿入しておき、その後、金型内に軟質材としての樹脂を注入するインサート成形法で成形してもよい。
【００２６】
このように硬軟同時成形にてシート１０を形成する方法を用いれば、簡易な設備で大量に植栽容器用シート１０を製造できる。
【００２７】
ついで、このシート１０を加工してなる植栽容器２０について、さらに図２および図３を参照して説明する。
【００２８】
植栽容器２０は、矩形パン形状とされ、図１に示したシート１０を折目１６に沿って折り曲げることで形成される。
【００２９】
すなわち、シート１０の外周部１２を、折目部（辺）１５Ａ、１５Ａの折目１６、１６に沿って折り曲げ起立させて概ねの外形を形成し、折目部（隅）１５Ｂ、１５Ｂ、・・・の折目１６、１６、・・・に沿って折りたたみ、さらに、折りたたんだ容器隅部２３、２３、・・・に図例のようなクリップ３０、３０を取り付けて保形することで、植栽容器２０を形成することができる。このように折り曲げ形成することで、植栽容器２０の底部２１にはシート１０の中央部１１が配され、側壁部２２にはシート１０の外周部１２が配される。
【００３０】
クリップ３０は、図２（ａ）に示したような平面視Ｌ字状の部材であり、底面側より上方に向かうＬ字状のスリット３１が形成されている。Ｌ字状のスリット３１に容器隅部２３を差し込むことで、折りたたんだ部分が元に復元することなく保形され、しかも容器隅部２３が安定する。このようにクリップ３０を取り付けることで、側壁部２２、２２、・・・が平面状態に戻ることを防止できる。
【００３１】
クリップ３０は、図２（ｂ）に示したような二股の引っ掛け部３２、３２が形成されたものでもよい。また、図２（ｃ）の展開図に示した板材を破線位置で折り曲げて、図２（ｂ）のようなクリップ３０を形成するようにしてもよい。図２（ｃ）に示したクリップ３０は、容器隅部２３の外側にあてがって、折り曲げ作業をしながらクリップ形状にしてもよい。
【００３２】
なお、容器隅部２３は、粘着テープや接着剤、ホチキスなどを用いて、折りたたんだ部分を固定するようにしてもよい。また、水耕栽培として使用しない場合には、シート１０の隅部１４を適宜な位置で切断または切り取りして固定するようにしてもよい。
【００３３】
以上に示した植栽容器２０によれば、植栽容器用シート１０の中央部１１に硬質板が使ってあるため、組み立てられた植栽容器２０の底部２１が安定する。そのため、植栽容器２０に植栽した後に台車などで移動する場合でも、内部の土や水がこぼれるおそれがない。また、側壁部２２、２２、・・・にも硬質板が用いられているため、容器全体がしっかりする。
【００３４】
つぎに、本発明の他の実施形態に係る、植栽容器を形成するための植栽容器用シートについて、図３（ａ）〜（ｃ）を参照して説明する。
【００３５】
図３（ａ）、（ｂ）は、第２の実施形態に係る、植栽容器を形成するための植栽容器用シートの平面図であり、図３（ａ）、（ｂ）には本実施形態に係る植栽容器用シートにおける異なる使用態様の２例を示した。このシート１０は、中央部１１は硬質板よりなり、その周囲の外周部１２の側辺部１３および隅部１４を含むすべてが軟質材よりなる。つまり、図３（ａ）、（ｂ）におけるクロスハッチングを付した中央部１１を除く部位が折目部１５を構成する。
【００３６】
植栽容器用シート１０をこのように構成すれば、図３（ａ）、（ｂ）のように、異なる位置に折目１６を設けることで植栽容器２０（図２（ａ）参照）の形状、寸法を異ならせることができる。つまり、側壁部２２（図２（ａ）参照）の高さを異ならせたり、底部２１（図２（ａ）参照）の大きさを異ならせたりすることができる。
【００３７】
図３（ａ）、（ｂ）の例のように、中央部１１の周辺のすべてを軟質材で形成すれば、折目部１５を広く確保することができ、種々の折目１６で種々の形状の植栽容器２０（図２（ａ）参照）を形成することができる。たとえば、植栽容器２０（図２（ａ）参照）の開口を底部よりも大きくしたり、小さくしたりすることもできる。なお、図３（ａ）、（ｂ）に示したシート１０は、中央部１１の外側の折目部と隅部１４における折目部との境界がないため、図中には折目部として符号１５を付記した。
【００３８】
図３（ｃ）は、本発明の第３の実施形態に係る、植栽容器を形成するための植栽容器用シートの部分拡大平面図である。このシート１０は、実際の折目１６に対応して折目部（辺）１５Ａ、折目部（隅）１５Ｂを線状に形成したものである。つまり、図３（ｃ）に示すように、中央部１１と、外周部１２のうちの中央部１１の四方の側辺部１３とが硬質板で形成されているほか、隅部１４における折目部（隅）１５Ｂを除く２つの三角形の部位も硬質板で形成されており、それらを除く線状の折目部（辺）１５Ａ、折目部（隅）１５Ｂが軟質材で形成されている。
【００３９】
このように、折目１６に沿った部位（折目部（辺）１５Ａ、折目部（隅）１５Ｂ）が軟質材で形成されているため、軟質材の形成部位にしたがって折り曲げ、折りたたむだけで簡単に植栽容器２０（図２（ａ）参照）を形成することができる。また、硬質板よりなる部位が多くなるため、植栽容器２０の側壁部２２（図２（ａ）参照）が頑丈になる。
【００４０】
以上に示した種々の植栽容器２０は、たとえば図４（ａ）に示すように、水耕栽培用の容器として使用できる。植栽容器２０に水を張り、孔３５ａを開けた発泡スチロール板３５を浮かべ、その孔３５ａに野菜などの植物３７（苗）を根が水に漬かるように固定すれば、植栽容器２０を水耕栽培用に使用できる。
【００４１】
もちろん、本植栽容器２０は土壌栽培用の容器としても利用できる。底部２１に水抜き用の孔（不図示）を開けて使用すればよい。軟質材よりなる折目部（辺）１５Ａや折目部（隅）１５Ｂ（図１参照）に孔を開けてもよいし、繊維状の軟質材により製した折目部で水抜きできるようにしてもよい。
【００４２】
また、図４（ｂ）に示すように、複数の植栽容器２０、２０を台車機能を有した複数段の植栽台３９に設置すれば、家庭用の植栽トレイセットを簡単に構成でき、また移動も容易に行える。
【符号の説明】
【００４３】
１０        植栽容器用シート、シート
１１        中央部
１２        外周部
１３        側辺部
１４        隅部
１５Ａ      折目部、折目部（辺）
１５Ｂ      折目部、折目部（隅）
１５        折目部
１６        折目
２０        植栽容器
２１        底部
２２        側壁部
２３        容器隅部
３０        クリップ
３１        スリット
３２        引っ掛け部
３５        発泡スチロール板
３５ａ      孔
３７        植物
３９        植栽台
【図１】
0005961602.tif 000002
【図２】
0005961602.tif 000003
【図３】
0005961602.tif 000004
【図４】
0005961602.tif 000005